(57)【要約】      （修正有）【課題】カードの複製やデータ改竄等の不正防止を、大がかりなシステムを必要とすることなく実現すること。【解決手段】精算記録媒体３９に記録されている精算記録媒体識別情報を含む精算情報を精算装置４００に送信する精算情報送信手段３３４を備える遊技用装置３と、精算情報の受信に基づいて経過時間の計時を開始する計時手段４１６と、精算記録媒体識別情報に対応する経過時間が、登録された時間以内であるか否かを判定する精算判定手段４２３と、を備え、該判定が時間以内であるときに前記読み出した精算情報から特定される価値の大きさに相当する貨幣を払出す精算処理を行う精算装置４００と、から成る。【選択図】図１
2005065844.tif 000002
【特許請求の範囲】
【請求項１】
遊技機に対応付けて設置され、貨幣を受付けて、該受付け貨幣の真贋ならびに貨幣種別を識別する貨幣識別手段と、該貨幣識別手段にて識別された貨幣の価値の範囲内の所定の大きさの価値を遊技に使用させるための使用処理を行う遊技用装置と、
前記貨幣識別手段にて識別された貨幣の価値のうち、前記使用処理に使用されなかった未使用の価値の大きさを特定可能な精算価値情報が記録された精算記録媒体を受付け、該受付けた精算記録媒体に記録されている精算価値情報から特定される未使用の価値に相当する貨幣を払出す精算装置と、
から成り、
前記遊技用装置は、
前記貨幣識別手段にて識別された貨幣の価値の大きさを記憶する価値記憶手段と、
前記使用処理に使用された価値の大きさに応じて、前記価値記憶手段に記憶された価値の大きさを更新する価値更新手段と、
前記価値記憶手段に記憶された価値を精算するために遊技者が操作する精算操作手段と、
該精算操作手段における操作に基づいて、前記価値記憶手段に記憶された価値が残存するか否かを判定する残価値判定手段と、
該残価値判定手段により前記価値記憶手段に記憶された価値が残存すると判定されたことに基づいて、前記精算記録媒体に記録されている該精算記録媒体を個々に識別可能な精算記録媒体識別情報を読み出すとともに、前記価値記憶手段に記憶された価値の大きさを特定可能な情報を前記精算価値情報として当該精算記録媒体に記録する精算記録媒体処理手段と、
該精算記録媒体処理手段にて前記精算記録媒体より読み出した前記精算記録媒体識別情報を含む精算情報を前記精算装置に送信する精算情報送信手段と、
を備え、
前記精算装置は、
精算処理を許容する時間を登録する精算許容時間登録手段と、
前記精算情報送信手段から送信される精算情報の受信に基づいて、当該精算情報に含まれる前記精算記録媒体識別情報に対応する経過時間の計時を開始する計時手段と、
前記精算記録媒体を受付けて、該受付けた精算記録媒体に記録されている前記精算記録媒体識別情報と前記精算価値情報とを読み出す精算記録媒体受付手段と、
該精算記録媒体受付手段にて読み出した前記精算記録媒体識別情報に対応する前記計時手段にて計時された経過時間が、前記精算許容時間登録手段に登録された精算処理を許容する時間以内であるか否かを判定する精算判定手段と、
を備え、該精算判定手段が、精算処理を許容する時間以内であると判定したことを条件に、前記精算記録媒体受付手段にて前記精算記録媒体から読み出した前記精算価値情報から特定される価値の大きさに相当する貨幣を払出す精算処理を行うことを特徴とする遊技用システム。
【請求項２】
遊技機に対応付けて設置され、受付け貨幣の真贋ならびに貨幣種別を識別する貨幣識別手段と、該貨幣識別手段にて識別された貨幣の価値の範囲内の所定の大きさの価値を遊技に使用させるための使用処理を行う遊技用装置と、
前記貨幣識別手段にて識別された貨幣の価値のうち、前記使用処理に使用されなかった未使用の価値の大きさを特定可能な精算価値情報が記録された精算記録媒体を受付け、該受付けた精算記録媒体に記録されている精算価値情報から特定される未使用の価値に相当する貨幣を払出す精算装置と、
を備える遊技用システムであって、
前記遊技用装置は、
前記貨幣識別手段にて識別された貨幣の価値の大きさを記憶する価値記憶手段と、
前記使用処理に使用された価値の大きさに応じて、前記価値記憶手段に記憶された価値の大きさを更新する価値更新手段と、
前記価値記憶手段に記憶された価値を精算するために遊技者が操作する精算操作手段と、
該精算操作手段における操作に基づいて、前記価値記憶手段に記憶された価値が残存するか否かを判定する残価値判定手段と、
該残価値判定手段により前記価値記憶手段に記憶された価値が残存すると判定されたことに基づいて、前記使用処理に使用されなかった未使用の価値の大きさである前記価値記憶手段に記憶された価値の大きさを特定可能な精算価値情報と、該精算価値情報から特定される価値の大きさの精算を許容する期間を特定可能な有効期間情報とを、前記精算記録媒体に記録する精算記録媒体処理手段と、
を備え、
前記精算装置は、
前記精算記録媒体を受付けて、該受付けた精算記録媒体に記録されている前記精算価値情報と前記有効期間情報とを読み出す精算記録媒体受付手段と、
該精算記録媒体受付手段にて読み出した前記有効期間情報から特定される精算を許容する期間以内にその時点が該当するか否かを判定する精算判定手段と、
を備え、該精算判定手段が、精算処理を許容する期間以内にその時点が該当すると判定したことを条件に、前記精算記録媒体受付手段にて前記精算記録媒体から読み出した前記精算価値情報から特定される価値の大きさに相当する貨幣を払出す精算処理を行うことを特徴とする遊技用システム。
【請求項３】
前記遊技用装置は、前記精算処理を許容する時間或いは前記精算処理を許容する期間を遊技者に報知する報知手段を備える請求項１または２に記載の遊技用システム。
【請求項４】
前記精算記録媒体が記録情報を電気的に記憶する集積回路を有する記録媒体であり、
前記精算装置は、
前記精算記録媒体を収容する記録媒体収容部を備え、
前記精算処理後において、当該精算処理に供された前記精算記録媒体を記録媒体収容部に回収する請求項１〜３のいずれかに記載の遊技用システム。
【請求項５】
前記価値記憶手段が、前記遊技用装置に内蔵された遊技用記録媒体にて形成され、
前記精算記録媒体処理手段は、
外部から精算記録媒体を受付け、該外部から受付けた精算記録媒体に、前記遊技用記録媒体に記憶されている価値の大きさを特定可能な精算価値情報を記録する請求項１〜４のいずれかに記載の遊技用システム。
【請求項６】
前記精算装置は、
係員が操作する係員精算操作手段を備え、
前記精算判定手段により精算処理を許容する時間以内或いは前記精算処理を許容する期間以内でないと判定されたときであっても、前記係員精算操作手段における操作を条件として前記精算処理を実施する請求項１〜５のいずれかに記載の遊技用システム。
【発明の詳細な説明】
【技術分野】
【０００１】
本発明は、貨幣を受付けて、該受付けた貨幣金額（価値）の範囲内の所定の大きさの金額（価値）を遊技に使用させるための使用処理を行う遊技用装置において受付け貨幣金額（価値）のうち、前記使用処理に使用されなかった未使用の金額（価値）の大きさに相当する貨幣を精算できる遊技用システムに関する。
【背景技術】
【０００２】
従来、これら遊技用システムとしては、遊技用装置であるカードユニットにて受付けた貨幣金額を、プリペイドカードを発行せずにカードユニット内部にて記憶しておき、該記憶した貨幣金額を遊技に使用させるための使用処理を実施するとともに、精算操作があれば、カードユニット内部にて記憶している未使用の貨幣金額をカードに記録して発行するものがある（例えば、特許文献１参照）。
【０００３】
【特許文献１】特開２００２−３６０９１０号公報 （第５頁、第５図）
【発明の開示】
【発明が解決しようとする課題】
【０００４】
しかしながら、これら前記した未使用の貨幣金額をカードに記録して発行するものにおいては、発行したカードを無期限に精算できることから、カードを複製したりカードに記録されている未使用の貨幣金額のデータを改竄する等の不正を実施できてしまうという問題があり、これら精算に伴うセキュリティを維持するためには、管理装置等により、各カード並びにカードに記録されている未使用の貨幣金額を管理しておく必要が生じ、大がかりなシステムが必要となってしまうという問題があった。
【０００５】
本発明は、このような問題点に着目してなされたもので、カードの複製やデータ改竄等の不正防止を、大がかりなシステムを必要とすることなく実現することのできる遊技用システムを提供することを目的とする。
【課題を解決するための手段】
【０００６】
上記課題を解決するために、本発明の請求項１に記載の遊技用システムは、
遊技機に対応付けて設置され、貨幣を受付けて、該受付け貨幣の真贋ならびに貨幣種別を識別する貨幣識別手段と、該貨幣識別手段にて識別された貨幣の価値の範囲内の所定の大きさの価値を遊技に使用させるための使用処理を行う遊技用装置と、
前記貨幣識別手段にて識別された貨幣の価値のうち、前記使用処理に使用されなかった未使用の価値の大きさを特定可能な精算価値情報が記録された精算記録媒体を受付け、該受付けた精算記録媒体に記録されている精算価値情報から特定される未使用の価値に相当する貨幣を払出す精算装置と、
から成り、
前記遊技用装置は、
前記貨幣識別手段にて識別された貨幣の価値の大きさを記憶する価値記憶手段と、
前記使用処理に使用された価値の大きさに応じて、前記価値記憶手段に記憶された価値の大きさを更新する価値更新手段と、
前記価値記憶手段に記憶された価値を精算するために遊技者が操作する精算操作手段と、
該精算操作手段における操作に基づいて、前記価値記憶手段に記憶された価値が残存するか否かを判定する残価値判定手段と、
該残価値判定手段により前記価値記憶手段に記憶された価値が残存すると判定されたことに基づいて、前記精算記録媒体に記録されている該精算記録媒体を個々に識別可能な精算記録媒体識別情報を読み出すとともに、前記価値記憶手段に記憶された価値の大きさを特定可能な情報を前記精算価値情報として当該精算記録媒体に記録する精算記録媒体処理手段と、
該精算記録媒体処理手段にて前記精算記録媒体より読み出した前記精算記録媒体識別情報を含む精算情報を前記精算装置に送信する精算情報送信手段と、
を備え、
前記精算装置は、
精算処理を許容する時間を登録する精算許容時間登録手段と、
前記精算情報送信手段から送信される精算情報の受信に基づいて、当該精算情報に含まれる前記精算記録媒体識別情報に対応する経過時間の計時を開始する計時手段と、
前記精算記録媒体を受付けて、該受付けた精算記録媒体に記録されている前記精算記録媒体識別情報と前記精算価値情報とを読み出す精算記録媒体受付手段と、
該精算記録媒体受付手段にて読み出した前記精算記録媒体識別情報に対応する前記計時手段にて計時された経過時間が、前記精算許容時間登録手段に登録された精算処理を許容する時間以内であるか否かを判定する精算判定手段と、
を備え、該精算判定手段が、精算処理を許容する時間以内であると判定したことを条件に、前記精算記録媒体受付手段にて前記精算記録媒体から読み出した前記精算価値情報から特定される価値の大きさに相当する貨幣を払出す精算処理を行うことを特徴としている。
この特徴によれば、精算記録媒体から読み出された精算記録媒体識別情報に対応する経過時間が、前記精算許容時間登録手段に登録された精算処理を許容する時間以内である場合においてのみ、精算装置にて精算処理が実施されるようになるため、遊技用装置からの精算情報の受信に基にて経過時間を計時するという比較的簡素なシステムによって、精算記録媒体の複製やデータ改竄等の不正防止を実現することができる。
【０００７】
本発明の請求項２に記載の遊技用システムは、
遊技機に対応付けて設置され、受付け貨幣の真贋ならびに貨幣種別を識別する貨幣識別手段と、該貨幣識別手段にて識別された貨幣の価値の範囲内の所定の大きさの価値を遊技に使用させるための使用処理を行う遊技用装置と、
前記貨幣識別手段にて識別された貨幣の価値のうち、前記使用処理に使用されなかった未使用の価値の大きさを特定可能な精算価値情報が記録された精算記録媒体を受付け、該受付けた精算記録媒体に記録されている精算価値情報から特定される未使用の価値に相当する貨幣を払出す精算装置と、
を備える遊技用システムであって、
前記遊技用装置は、
前記貨幣識別手段にて識別された貨幣の価値の大きさを記憶する価値記憶手段と、
前記使用処理に使用された価値の大きさに応じて、前記価値記憶手段に記憶された価値の大きさを更新する価値更新手段と、
前記価値記憶手段に記憶された価値を精算するために遊技者が操作する精算操作手段と、
該精算操作手段における操作に基づいて、前記価値記憶手段に記憶された価値が残存するか否かを判定する残価値判定手段と、
該残価値判定手段により前記価値記憶手段に記憶された価値が残存すると判定されたことに基づいて、前記使用処理に使用されなかった未使用の価値の大きさである前記価値記憶手段に記憶された価値の大きさを特定可能な精算価値情報と、該精算価値情報から特定される価値の大きさの精算を許容する期間を特定可能な有効期間情報とを、前記精算記録媒体に記録する精算記録媒体処理手段と、
を備え、
前記精算装置は、
前記精算記録媒体を受付けて、該受付けた精算記録媒体に記録されている前記精算価値情報と前記有効期間情報とを読み出す精算記録媒体受付手段と、
該精算記録媒体受付手段にて読み出した前記有効期間情報から特定される精算を許容する期間以内にその時点が該当するか否かを判定する精算判定手段と、
を備え、該精算判定手段が、精算処理を許容する期間以内にその時点が該当すると判定したことを条件に、前記精算記録媒体受付手段にて前記精算記録媒体から読み出した前記精算価値情報から特定される価値の大きさに相当する貨幣を払出す精算処理を行うことを特徴としている。
この特徴によれば、精算記録媒体から読み出された有効期間情報から特定される精算を許容する期間以内にその時点が該当する場合においてのみ、精算装置にて精算処理が実施されるようになるため、遊技用装置と精算装置とを通信接続する必要のないより簡素なシステムによって、精算記録媒体の複製やデータ改竄等の不正防止を実現することができる。
【０００８】
本発明の請求項３に記載の遊技用システムは、請求項１または２に記載の遊技用システムであって、
前記遊技用装置は、前記精算処理を許容する時間或いは前記精算処理を許容する期間を遊技者に報知する報知手段を備えることを特徴としている。
この特徴によれば、遊技者は、精算処理が許容される時間或いは精算処理を許容される期間を認識することができ、これら精算処理が許容される時間或いは精算処理を許容される期間が過ぎて精算ができなくなってしまうことを極力防止することができる。
【０００９】
本発明の請求項４に記載の遊技用システムは、請求項１〜３のいずれかに記載の遊技用システムであって、
前記精算記録媒体が記録情報を電気的に記憶する集積回路を有する記録媒体であり、
前記精算装置は、
前記精算記録媒体を収容する記録媒体収容部を備え、
前記精算処理後において、当該精算処理に供された前記精算記録媒体を記録媒体収容部に回収することを特徴としている。
この特徴によれば、集積回路に記録情報が記憶されているために、精算記録媒体の複製やデータ改竄等の不正防止をより困難なものにできるとともに、比較的高価な集積回路を有する精算記録媒体を回収することで、繰返し精算記録媒体を使用でき、システムのランニングコストを抑えることもできる。
【００１０】
本発明の請求項５に記載の遊技用システムは、請求項１〜４のいずれかに記載の遊技用システムであって、
前記価値記憶手段が、前記遊技用装置に内蔵された遊技用記録媒体にて形成され、
前記精算記録媒体処理手段は、
外部から精算記録媒体を受付け、該外部から受付けた精算記録媒体に、前記遊技用記録媒体に記憶されている価値の大きさを特定可能な精算価値情報を記録することを特徴としている。
この特徴によれば、精算記録媒体を遊技用装置内部に収納しておく必要がなく、遊技用装置を簡素化できる。また、遊技用記録媒体が内蔵されて持ち去られることがないことから、遊技用記録媒体の複製やデータ改竄等の不正を防止できるとともに、遊技用記録媒体に要するランニングコストも抑えることができる。
【００１１】
本発明の請求項６に記載の遊技用システムは、請求項１〜５のいずれかに記載の遊技用システムであって、
前記精算装置は、
係員が操作する係員精算操作手段を備え、
前記精算判定手段により精算処理を許容する時間以内或いは前記精算処理を許容する期間以内でないと判定されたときであっても、前記係員精算操作手段における操作を条件として前記精算処理を実施することを特徴としている。
この特徴によれば、仮に精算処理が許容される時間或いは精算処理が許容される期間を誤って過ぎてしまっても、係員の立ち会いにおいて当該係員が係員精算操作手段を操作することで、精算処理が許容される時間或いは精算処理が許容される期間を過ぎた精算記録媒体の精算を実施することができ、システムの冗長性を向上できる。
【発明を実施するための最良の形態】
【００１２】
本発明の実施例を以下に説明する。
【実施例１】
【００１３】
図１は、本実施例１の遊技用システムの構成を示す図であり、この遊技用システムは、遊技場において複数配置された遊技島に並設される遊技機としてのカードリーダ式パチンコ機（以下パチンコ機）２に対して１対１に設置される遊技用装置としてのカードユニット３と、遊技場内の所定箇所に設置された精算装置４００と、会員カードの発行を受けた会員遊技者に関する情報や貯蓄玉数の管理を行う会員管理コンピュータ１２０と、から主に構成され、各カードユニット３と精算装置４００並びに会員管理コンピュータ１２０とは、通信ケーブル８を介して双方向のデータ通信可能に接続されている。
【００１４】
まず、本実施例に用いた遊技用記録媒体であるビジターカード３８について説明すると、該ビジターカード３８には、図２（ａ）に示すように、略長方形のカード型に形成されているとともに、その中央位置に、非接触にて記録データの入出力（送受信）を行うための円形状とされたアンテナコイル９１と、記録データを電気的に書き換え可能に記憶する集積回路（ＩＣ）９２が設けられており、これらビジターカード３８は、前記カードユニット３内に設けられている後述するカードリーダライタ３２７に装着されることで、該カードリーダライタ３２７から出力される電磁波が前記アンテナコイル９１に誘導起電力を生じさせて前記集積回路９２が動作可能に電力付勢されるとともに、前記アンテナコイル９１を介して前記カードリーダライタ３２７との各種のデータ送受を電磁波により非接触にて実施可能とされた非接触ＩＣカードとされている。
【００１５】
また、これらビジターカード３８における集積回路９２の内部メモリには、各ビジターカード３８を個別に識別可能なシリアル番号やカードＩＤ並びに当該ビジターカード３８が使用される使用店等が書き換え不可に記録されているとともに、後述するカードリーダライタ３２７とのデータ通信により、会員カードの未挿入時にカードユニット３に投入されて識別された識別金額に相当する大きさの遊技用価値である度数データが書き換え可能に記憶される。
【００１６】
また、本実施例に用いた精算記録媒体である精算カード３９について説明すると、該精算カード３９は、図２（ｂ）に示すように、前記ビジターカード３８よりもその長手方向の長さが長い略長方形の図示しない会員カードと同じカード型とされており、その略中央部には、前記ビジターカード３８におけるアンテナコイル９１並びに集積回路９２と同一構成とされたアンテナコイル８３並びに集積回路８４とが設けられた非接触ＩＣカードを使用しており、前記ビジターカード３８と同様にカードリーダライタ３２７との各種のデータ送受を電磁波により非接触にて実施可能とされている。そして、該精算カードにおける集積回路８４の内部メモリには、各精算カードを個々に識別可能な精算記録媒体識別情報である精算カードＩＤが書き換え不可に記録されているとともに、前記ビジターカードに記録された度数データから特定される度数の大きさである遊技に未使用の度数の大きさを特定可能な精算価値情報としての未使用度数データが書き換え可能に記録される。
【００１７】
次いで、本実施例の遊技用装置であるカードユニット３について説明すると、本実施例のカードユニット３の前面には、図３に示すように、各種表示部と紙幣挿入口３０２、硬貨投入口３０３、硬貨返却ボタン３０４、突出部３０５、硬貨返却口３０８、カード挿入口３０９、ビジターカード装着口３１０が設けられている。
【００１８】
カードユニット３の前面に設けられる表示部のうち、多機能表示部３０１は、内部に設けられた多機能ＬＥＤ３０１ａの発光態様によりカードユニット３の動作状況や精算カードが当該カードユニット３において必要であること等が報知される。
【００１９】
カードユニット３の前面に設けられたカード挿入口３０９とビジターカード装着口３１０とは、図４に示すように、遊技者から見て左右方向に並設配置されているとともに、前記ビジターカード装着口３１０は、前記カード挿入口３０９が設けられたカードユニット３の前面よりも装置の内方に入り込むように形成された段部３４０に設けられている。
【００２０】
カード挿入口３０９は、内蔵されるカードリーダライタ３２７（図５参照）のカードスロット（図示略）に連設されており、このカード挿入口３０９を介して会員カード並びに精算カード３９をカードスロットに挿入可能とされている。また、ビジターカード装着口３１０は、カードリーダライタ３２７のビジターカード収容室（図示略）に連設されており、このビジターカード装着口３１０を介してビジターカード３８をビジターカード収容室に装着可能とされている。
【００２１】
このビジターカード装着口３１０にビジターカード３８が装着された際には、該装着されたビジターカード３８の後端がビジターカード装着口３１０から突出する態様にて装着される。また、このビジターカード装着口３１０が設けられた段部３４０には、この段部３４０全体を被覆する透明カバー部材３１８’が着脱可能に取付けられており、これにより前記カードリーダライタ３２７に装着されたビジターカード３８が、前記透明カバー部材３１８’を通して視認できるとともに、該透明カバー部材３１８’により挿入されたビジターカード３８の抜き取りができない状態とされ、該ビジターカード３８がカードユニット３内に内封された状態とされる。
【００２２】
また、この透明カバー部材３１８’は、図４に示すように、該透明カバー部材３１８’の前面側端に設けられた係止突起３４１を、段部３４０の側面に設けられた係止孔３４２に係止させ、透明カバー部材３１８’の側面後端に設けられた係止爪３４３を、段部３４０の底面に設けられた係止孔３４４に係合させることで取付けられるようになっており、前記係止爪３４３と係止孔３４４との係合を、カードユニット３の施錠を解除して全面に引き出す等により前記係合部を露出させて解除することで、透明カバー部材３１８’の取外しが可能とされている。これにより、前記施錠を解除できる遊技場の係員等は、ビジターカード３８の交換作業が容易に行えるようになるとともに、通常時カードユニット３はパチンコ機２と並設されて前記係合部が露出されない状態にて使用されるため、通常使用時において透明カバー部材３１８’は取り外せない状態、すなわち装着されたビジターカード３８の抜き取りができない内蔵状態で使用される。
【００２３】
また、前記ビジターカード装着口３１８が設けられた段部３４０の上下面において前記透明カバー部材３１８’の上下端面が当接する位置には、緑色に発光するＬＥＤモジュール３４６が設けられており、該ＬＥＤモジュール３４６は、ビジターカード３８に対する処理が実施されている場合に発光するように制御される。
【００２４】
また、図４に示すように、前記カード挿入口３０９の周囲には、高周波電圧の印加により発光するＥＬ（エレクトリックルミネッセンス）パネル３４５ａにて構成されるカード受付中表示部３４５が設けられている。これらカード受付中表示部３４５は、会員カード或いは精算カード３９が受付中の場合に点灯されることで、会員カード或いは精算カード３９が受付中である旨が遊技者や遊技場係員に報知される。
【００２５】
カードユニット３の前面には、前方に突出する態様にて突出部３０５が設けられている。突出部３０５において、遊技者側に向けられた面には、表示部３１２と、メインメニュー画面を表示させるためのメニュースイッチ３１６と、データ画面（図示略）を表示させるためのデータスイッチ３１８と、遊技者が後述する貯蓄玉数を用いた再プレイ遊技を実施するための再プレイスイッチ３１９と、再プレイスイッチ３１９の操作が有効であることを報知するための再プレイ表示部３２０とが設けられている。
【００２６】
図５は、本実施例１のカードユニット３の構成を示すブロック図である。カードユニット３は、カードリーダライタ３２７と、表示制御基板３２９と、制御ユニット３２８と、から主に構成されており、カードリーダライタ３２７及び表示制御基板３２９は、制御ユニット３２８と接続され、各種データの送受が可能とされている。
【００２７】
カードリーダライタ３２７は、会員カードや精算カード３９並びにビジターカード３８に記録されている会員カードＩＤや精算カードＩＤ、並びに度数データや未使用度数データ等の記録情報の読み出し並びに書き込みを行う。
【００２８】
表示制御基板３２９には、前述した液晶表示器３１３、タッチパネル３１４、各種スイッチ類（メニュースイッチ３１６ａ、データスイッチ３１８ａ、再プレイスイッチ３１９ａ）や前述した再プレイ表示部３２０内に設けられた再プレイＬＥＤ３２０ａ等の電子部品が接続されている。
【００２９】
表示制御基板３２９に接続されている電子部品のうちタッチパネル３１４、各種スイッチ類（メニュースイッチ３１６ａ、データスイッチ３１８ａ、再プレイスイッチ３１９ａ）は、表示制御基板３２９を介して制御ユニット３２８に接続されており、タッチパネル３１４による位置検出情報や各スイッチの検出信号が制御ユニット３２８に入力される。また、再プレイＬＥＤ３２０ａも、表示制御基板３２９を介して制御ユニット３２８に接続されており、その点灯制御が制御ユニット３２８により行われる。
【００３０】
また、表示制御基板３２９は、液晶表示器３１３の表示駆動を行う表示駆動回路や、前記タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力された各種画面等の表示データを液晶表示器３１３に表示する制御を行う。
【００３１】
制御ユニット３２８には、表示制御基板３２９を介して接続されたスイッチや表示器等の電子部品に加えて、前述した多機能ＬＥＤ３０１ａ等からなる電子部品や、紙幣識別ユニット３２１、硬貨識別ユニット３２２が接続されている。
【００３２】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００３３】
また、制御ユニット３２８には、特に図示しないが、接続されたパチンコ機２に設けられ、パチンコ玉の貸出に使用できる度数を表示する度数表示器や、パチンコ玉の貸出を行う際に操作される貸出ボタンの操作を検知する貸出スイッチ、受付け中の会員カードを返却させる際やビジターカード３８に残存する度数を精算カード３９に記録させる際に操作される終了ボタンの操作を検知する終了スイッチが接続されている。
【００３４】
制御ユニット３２８には、特に図示しないが、マイクロプロセッシングユニット（ＭＰＵ）やＲＡＭやＲＯＭが搭載されており、ＲＯＭに記憶されている処理プログラムに基づいて、後述する各種の処理が実施されるとともに、リアルタイムクロック（ＲＴＣ）３２６が搭載されており、日付情報や時刻情報をＭＰＵに出力することで、制御ユニット３２８は各時点での日付や時刻を把握できるようになっている。
【００３５】
また、制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示コントローラ３２９の制御等、全体の動作制御、並びに識別信号に基づく識別金額に相当する度数データを前記会員カードやビジターカード３８に記憶する処理や、ビジターカード３８に未使用の度数が残存するときに、前記カード挿入口３０９から挿入された精算カード３９の精算カードＩＤを読み出して前記精算装置４００に送信する精算情報送信処理や、該未使用度数を特定可能な未使用度数データと当該日付とを挿入された精算カード３９に記録して排出する精算カード処理等の各種処理を実行する。
【００３６】
また、制御ユニット３２８は、会員管理コンピュータ１２０ともデータ通信可能に接続されており、該会員管理コンピュータ１２０にて管理されている貯蓄玉数等の各種データの送受が可能とされている。また、対応するパチンコ機２と接続されており、各種信号の送受が実施可能とされている。
【００３７】
この本実施例１の前記制御ユニット３２８にて制御されるカードユニット３において実施される各処理内容について説明すると、まず、カードユニット３は、カード挿入口３０９に挿入された会員カードに対して利用の可／不可を判別する受付処理を行う。
【００３８】
また、受付処理において受付けられた会員カードより読み出された度数が残存する場合であって、パチンコ機２に備えられる貸出ボタンの操作が検出された場合に、対応するパチンコ機２に対して貸出要求を出力し、パチンコ玉の貸出を実施させる貸出処理を行う。
【００３９】
また、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カードより読み出された度数に加算する追加入金処理を行う。
【００４０】
また、会員遊技者が以前の遊技にて貯蓄した貯蓄玉数を、会員管理コンピュータ１２０から入手し、この入手した貯蓄玉数を使用して、対応するパチンコ機２に対して払戻要求を出力し、所定数のパチンコ玉の払い戻しを実施させる払戻処理を行う。
【００４１】
また、会員カードが受付けられていない場合において、貨幣を投入することにより、前記ビジターカード３８を使用しての貸出処理である貨幣貸出処理を実施する。
【００４２】
また、会員カードが非受付状態であって、且つビジターカード３８に度数が残存しない場合のときに、カード挿入口３０９に挿入された精算カード３９に記録されている日付情報が、当該営業日と同一である場合において、該精算カード３９に記録されている未使用度数データから特定される大きさの度数を前記貸出処理に使用させる清算カード貸出処理を行う。尚、本実施例１では、該清算カード貸出処理において、挿入された精算カード３９に記録されている日付情報が当該営業日と同一である場合、つまりは、精算カード３９をその営業日当日中であれば他のカードユニット３に挿入することで、該挿入した精算カード３９に記録されている未使用度数データから特定される大きさの度数を貸出処理に使用して遊技を実施できるようにしているが、本発明はこれに限定されるものではなく、これら日付とともに時間を記録しておき、該記録されている時間から所定時間内においてのみ未使用度数データから特定される大きさの度数を貸出処理に使用できるようにしても良い。
【００４３】
次いで、本実施例１に用いた精算装置４００について、図６並びに図７に基づいて説明すると、本実施例１の精算装置４００は、前記遊技島の端部位置等の遊技場内の所定箇所に設置され、その外観形状は図６に示すようになっており、その前面に、精算が可能であることを遊技者に報知するための動作表示部４０１と、精算する精算カード３９が挿入可能とされているカード挿入口４０２と、該カード挿入口４０２に精算カード３９が受付け中であることを点滅により報知するカードインジケータ４０３と、前記カード挿入口４０２に挿入された精算カード３９に記録されている未使用度数データより特定される未使用度数の大きさに相当する精算金額を表示するための金額表示部４０７と、前記金額表示部４０７に表示されている精算金額の払出を実施させる際に入力操作される精算ボタン４１０と、該精算処理を中断する際に入力操作される中止ボタン４０９と、精算に伴い払出される硬貨が排出されるコイン排出口４１１と、該コイン排出口４１１からの硬貨の排出を点滅により報知するコインインジケータ４１２と、精算に伴い払い出される紙幣が排出される紙幣排出口４１３と、該紙幣排出口４１３からの紙幣の排出を点滅により報知する紙幣インジケータ４１４と、遊技場の従業員等の係員が、所持している動作キーを使用することで操作することが可能となるキースイッチ４２５と、が設けられている。
【００４４】
この精算装置４００の構成について説明すると、該精算装置４００は、前記動作表示部４０１や、金額表示部４０７、精算ボタン４１０、中止ボタン４０９、カードインジケータ４０３、紙幣インジケータ４１４、コインインジケータ４１２、キースイッチ４２５に加えて、図７に示すように、前記カード挿入口４０２に連設され、該カード挿入口４０２から挿入される精算カード３９を受付けて、該精算カード３９の記録情報の読み出しや、記録情報の消去、並びに精算カード３９の回収ボックス４４０への回収等を行うカードリーダライタ４１５と、前記コイン排出口４１１に連設され、硬貨の払い出しを実施する硬貨払出ユニット４１８と、前記紙幣排出口４１３に連設され、紙幣の払い出しを実施する紙幣払出ユニット４１９と、前記金額表示部４０７の表示動作の制御を行う表示ドライバ４２０と、時刻情報を出力可能なリアルタイムクロック（ＲＴＣ）４１６と、後述する図８に示すカードテーブルが記憶されるとともに、後述するＭＰＵ４２３の制御内容が記述された制御プログラムや精算を許容する時間（例えば５分）等が記憶された記憶部４２１と、通信ケーブル８を介して前記カードユニット３の制御部３２８とデータ通信を行うための通信部４２２と、これら各部の制御等を行うマイクロプロセッシングユニット（ＭＰＵ）４２３と、を備え、れら各部が図７に示すように接続されていることで、マイクロプロセッシングユニット（ＭＰＵ）４２３によりその動作が制御される。
【００４５】
また、前記記憶部４２１には図８に示すカードテーブルが記憶されており、該カードテーブルには、前記カードユニット３において精算カード３９に未使用度数が記録されるときに、該カードユニット３から送信される精算情報に含まれる当該未使用度数が記録される精算カード３９の精算カードＩＤと、当該精算情報を送信してきたカードユニット３の装置ＩＤと、当該精算情報の受信時刻が計時を開始する開始時刻として登録されおり、該カードテーブルの登録情報に基づいて、カード挿入口４０２から挿入された精算カード３９が、カードユニット３にて遊技者に返却されてからの経過時間を計時できるようになっている。
【００４６】
以下、本実施例１の遊技用システムにおける処理の状況、特に、ビジターカード３８を使用した利用状況について図９を用いて説明する。
【００４７】
まず、遊技者がビジターカード３８を使用して遊技を行う場合には、前記カード挿入口３０９に会員カードを挿入していない状況において、紙幣または硬貨を紙幣挿入口３０２または硬貨投入口３０３に投入する。ここでは、例として５０００円を投入した場合を例に以下に説明する。
【００４８】
この投入された５０００円紙幣は紙幣識別ユニット３２１（硬貨の場合には硬貨識別ユニット３２２）にてその金種並びに真贋が識別され、該識別金額である５０００円を示す識別情報（データ）が制御ユニット３２８に出力される。
【００４９】
これに基づき制御ユニット３２８は、前記ＬＥＤモジュール３４６を発光させ、透明カバー部材３１８’を点灯させるとともに、前記出力された識別情報に基づく識別金額である５０００円を度数（識別金額を１００で除算した値）である５０度数に変換し、該変換した５０度数をカードリーダライタ３２７に出力する。
【００５０】
この度数の出力を受けたカードリーダライタ３２７では、装着されているビジターカード３８に出力を受けた度数である５０度数の度数データを記録（記憶）するとるとともに、該ビジターカード３８に記録（記憶）した度数データを再度読み出し、制御ユニット３２８に出力する。
【００５１】
カードリーダライタ３２７より当該度数データの出力を受けた制御ユニット３２８では、カードリーダライタ３２７に出力した度数の大きさと当該度数データに基づく度数の大きさとを比較し、該比較が同じ５０度数で一致したときにビジターカード３８への記録（記憶）が良好に完了したものと判定し、該度数の大きさである「５０」を表示部３１２並びに対応するパチンコ機２に設けられている度数表示器（図示略）に表示した後、貸出ボタンの操作に伴う貸出スイッチ（図示略）からの入力待ち状態となる。
【００５２】
この状態において遊技者が貸出ボタン（図示略）を操作することで貸出スイッチ（図示略）からの入力があった場合に制御ユニット３２８は、予め設定されている払出単位に相当する度数、例えば５度数に対応する数のパチンコ球をパチンコ機２に払い出させる制御を実施するとともに、１度数の払出の完了毎に度数表示器（図示略）並びに表示部３１２に表示されている度数を１度数づつ減算更新していき、払出単位である５度数全ての払出が完了したときに、新たな度数の大きさである４５度数を、前記カードリーダライタ３２７に出力することで、前記と同様にカードリーダライタ３２７より該新たな度数の大きさである４５度数を示す度数データがビジターカード３８に更新記録（記憶）される。
【００５３】
そして、遊技により払出されたパチンコ球が少なくなるか或いは無くなった場合には、前記貸出ボタンを再度操作することで、払出単位に相当する度数の払出を再度受けることができるとともに、該払出単位に相当する度数がビジターカード３８に記録（記憶）されている度数の大きさから減算更新されていく。
【００５４】
そして、遊技者が遊技を終了する場合には前記終了ボタンの操作することで、該終了ボタンの操作により終了スイッチからの入力に基づいて制御ユニット３２８は、前記ビジターカード３８に度数が残存するか否かを判定し、度数が残存する場合において、精算カード３９の挿入を促すメッセージを前記表示部３１２に表示するとともに、前記多機能ＬＥＤ３０１ａが点滅点灯されて、精算カード３９を携行している係員に精算カード３９が必要とされている旨を報知する。
【００５５】
この多機能ＬＥＤ３０１ａが点滅点灯されることで、係員が精算カード３９をカード挿入口３０９に挿入すると、該挿入された精算カード３９に記録（記憶）されている精算カードＩＤを前記カードリーダライタ３２７が読み出して制御ユニット３２８に出力するとともに、該精算カードＩＤの出力を受けて制御ユニット３２８は、前記ＲＴＣ３２６から出力される当該営業日の日付とともに、ビジターカード３８に記録（記憶）されている残存度数の大きさである未使用度数の大きさ、例えば１０度数をカードリーダライタ３２７に出力することで、該出力された日付情報と未使用度数の大きさである１０度数を示す未使用度数データとが精算カード３９に記録されるとともに、該記録された未使用度数データが再度読み出されて制御ユニット３２８に出力されることで、制御ユニット３２８が、カードリーダライタ３２７に出力した未使用度数の大きさと、カードリーダライタ３２７から出力されてきた未使用度数データに基づく未使用度数の大きさが一致する場合において、精算カード３９への記録（記憶）が良好に完了したものと判定し、前記表示部３１２に、記憶部４２１に記憶されている精算カード３９による精算が可能な時間、例えば５分と、他のカードユニット３にて精算カード３９が、本日中において使用できる旨を表示して遊技者に精算可能な有効時間と他のカードユニット３にて使用可能な使用可能期間とを報知するとともに、該精算カード３９をカード挿入口３０９から排出して返却する。
【００５６】
そして、該返却とともに、当該精算カード３９から読み出した精算カードＩＤと当該カードユニット３の装置ＩＤとを含む精算情報を、前記通信部３３４から精算装置４００に対して送信した後、前記ビジターカード３８に記録（記憶）されている度数データを消去する。
【００５７】
このようにして、カードユニット３から精算情報を受信した精算装置４００においては、受信した精算情報に含まれる精算カードＩＤと装置ＩＤとをカードテーブルに記憶するとともに、該精算カードＩＤに対応する開始時刻に当該精算情報を受信した時刻を登録し、当該登録した精算カードＩＤが記録（記憶）されている精算カードの受付け待ちとなる。
【００５８】
そして、遊技を終了した遊技者が、前記カード挿入口３０９から排出して返却された精算カード３９を精算装置４００のカード挿入口４０２に挿入すると、カードリーダライタ４１５により該挿入された精算カード３９に記録されている精算カードＩＤと未使用度数データとを読み出し、該読み出した精算カードＩＤに対応する経過時間を前記カードテーブルに当該精算カードＩＤに対応付けて登録されている開始時間とその時点の時刻とから特定する。
【００５９】
そして、該特定した経過時間が、記憶部４２１に記憶されている精算を可能とする時間、例えば５分を越えている場合には、係員精算操作手段であるキースイッチ４２５が係員精算の位置に回動される係員精算操作が有るか否かを判定し、係員精算操作が無い場合、つまりはキースイッチ４２５が通常の設定位置にある場合には、カード挿入口４０２から挿入された精算カード３９から読み出した未使用度数データに相当する金額の払出を実施せずに、所定時間が経過していることを、前記動作表示部４０１の点灯態様を点滅点灯することで報知する。また、係員精算操作が有る場合、つまりはキースイッチ４２５が係員精算の位置に回動されている場合には、精算カード３９から読み出した未使用度数データ、例えば１０度数に相当する金額である１０００円の貨幣の払出を実施した後、前記カードテーブルから当該精算カード３９の精算カードＩＤの登録を削除するとともに、当該精算カード３９の記録情報を消去し、該消去した精算カード３９を回収ボックス４４０に回収する。つまり、前記動作表示部４０１の報知状態において係員精算操作が実施されることで、所定時間が経過した精算カード３９の精算が実施されることとなる。
【００６０】
一方、前記特定した経過時間が、記憶部４２１に記憶されている精算を可能とする時間、例えば５分以内である場合には、精算カード３９から読み出した未使用度数データ、例えば１０度数に相当する金額である１０００円の貨幣を前記金額表示部４０７に表示するとともに、精算ボタン４１０の操作受付けを実施して、精算ボタン４１０の操作に基づいて、金額表示部４０７に表示中の金額である１０００円の貨幣（紙幣）の払出を実施した後、前記カードテーブルから当該精算カード３９の精算カードＩＤの登録を削除するとともに、当該精算カード３９の記録情報を消去し、該消去した精算カード３９を回収ボックス４４０に回収する。
【００６１】
以上、本実施例１の遊技用システムによれば、精算記録媒体である精算カード３９から読み出された精算記録媒体識別情報である精算カードＩＤに対応する経過時間が、前記精算許容時間登録手段である記憶部４２１に登録された精算処理を許容する時間以内である場合においてのみ、精算装置４００にて精算処理が実施されるようになるため、遊技用装置であるカードユニット３からの精算情報の受信に基にて経過時間を計時するという比較的簡素なシステムによって、精算記録媒体である精算カード３９の複製やデータ改竄等の不正防止を実現することができる。
【実施例２】
【００６２】
次に、図１０は、本実施例２に用いた玉貸ユニット３５０とパチンコ機２’とを示す正面図であり、本実施例のパチンコ機２’は、前記実施例１で用いたカードリーダ式パチンコ機２ではなく玉貸ユニット３５０から遊技球の払出を受けて遊技を行う通常のパチンコ機２’とされている。
【００６３】
また、パチンコ機２’に１対１に対応して設けられる玉貸ユニット３５０は、紙幣や硬化を投入することで、該投入貨幣金額の内の所定額、例えば５００円に相当する所定数の玉数を計数してパチンコ機２’に設けられている上皿に払い出す現金玉貸処理を実施する。
【００６４】
この本実施例２の遊技用装置である玉貸ユニット３５０を図１０並びに図１１に基づいて説明すると、玉貸ユニット３５０の前面には、図１０に示すように、動作ＬＥＤユニット３５１、紙幣挿入口３５２、硬貨投入口３５３、硬貨返却ボタン３５４、操作表示部３６４、払出球供給部３６０、硬貨返却口３５８、精算カード挿入口３５９、放音部３６５が設けられている。
【００６５】
動作ＬＥＤユニット３５１は、玉貸ユニット３５０が動作中であることを点灯により表示するとともに、その点灯態様（点滅点灯）により、精算カード３９が当該玉貸ユニット３５０において必要であることを係員に報知する。
【００６６】
紙幣挿入口３５２には全種別の紙幣が、硬貨投入口３５３には１００円と５００円硬貨が投入可能とされ、各挿入口から投入された紙幣や硬貨は、各挿入口に連設された紙幣識別ユニット３７１や硬貨識別ユニット３７２（図１１参照）により、真贋並びに金種が識別され、該識別金種の情報等を含む識別情報が制御ユニット３８０に出力される。尚、硬貨返却ボタン３５４が操作された場合や、１００円と５００円以外の硬貨は、硬貨返却口３５８から返却される。
【００６７】
操作表示部３６４には、投入して識別された識別金額に相当する度数が表示される度数表示器３６１や、遊技球の貸出を受ける際に遊技者が操作する貸出ボタンスイッチ３６２と、遊技を終了する際に遊技者が操作する終了ボタンスイッチ３６３とが設けられている。
【００６８】
払出球供給部３６０は、玉貸ユニット３５０内部に設けられた５００円に相当する所定数の玉数を計数して払い出す球切り払出ユニット３７３に連通するように設けられており、該球切り払出ユニット３７３から払い出された球をパチンコ機２’に誘導供給する。
【００６９】
精算カード挿入口３５９には、終了ボタンスイッチ３６３が操作され、前記度数表示器３６１に度数が残存する場合に、該残存する度数を後述する精算装置４００’にて精算するための前記実施例１と同様の精算カード３９が挿入されることで、該精算カード挿入口３５９に連設されたカードリーダライタ３７０により、その時点にて度数表示器３６１に残存する度数の度数データと、制御ユニット３８０に搭載されているリアルタイムクロック（ＲＴＣ）３８４から出力されるその時点の時刻データに、後述するＲＯＭ３８２に記憶されている精算可能時間が加算された精算期限時刻データと日付データとが記録されて排出、返却される。
【００７０】
放音部３６５の内部には、スピーカ３６７が設けられていおり、該スピーカ３６７は、音声合成出力部３６６を介して制御ユニット３８０に接続されることで、精算カード３９の排出、返却時において、該精算カード３９による精算が可能な期間を報知するメッセージ、例えば「精算可能時間は５分です」等のメッセージを音声出力するように制御ユニット３８０にて制御される。
【００７１】
玉貸ユニット３５０の内部には、図１１に示すように、前記した各部と接続されて、玉貸ユニット３５０の動作を制御する制御ユニット３８０が設けられており、該制御ユニット３８０には、日付情報や時刻情報を出力するリアルタイムクロック（ＲＴＣ）３２６とともに、ＲＯＭ３８２に記憶されている処理プログラムに基づいて現金玉貸処理に伴う各種制御処理を行うマイクロプロセッシングユニット（ＭＰＵ）３８１や、マイクロプロセッシングユニット（ＭＰＵ）３８１が実施する各種の処理に使用されるとともに、投入されて識別された識別金額に相当する度数データが記憶されるＲＡＭ３８３が搭載されている。尚、ＲＯＭ３８２には、精算カード３９による精算可能時間、例えば５分が予め記憶されており、該ＲＯＭ３８２に記憶されている精算可能時間が精算カード３９の返却時に音声合成にて音声出力される。
【００７２】
尚、本実施例の玉貸ユニット３５０では、前記度数表示器３６１に度数が残存しない場合において、精算カード挿入口３５９に精算カード３９が挿入された場合には、該挿入された精算カード３９に記憶されている度数データと時刻データと日付データとがカードリーダライタ３７０により読み出されて制御ユニット３８０に出力され、制御ユニット３８０においてリアルタイムクロック（ＲＴＣ）３８４から出力される日付と日付データの日付とが一致する場合であれば、当該精算カード３９から読み出した度数データをＲＡＭ３８３に記憶するとともに利用可能な度数として度数表示器３６１に表示することで、該度数を使用しての玉貸を受けられるようになっている。
【００７３】
次いで、本実施例２に用いた精算装置４００’は、前記実施例１の精算装置４００とほぼ同一であるが、本実施例２では精算装置４００’と玉貸ユニット３５０とをデータ通信可能に接続する必要がないことから、記実施例１の精算装置４００の通信部４２２（図７参照）を有しない構成とされ、その他の構成は実施例１の精算装置４００と同一とされいる。
【００７４】
以下、本実施例２の玉貸ユニット３５０における処理の流れについて、図１２に基づいて説明すると、遊技者が玉貸を受けたい場合には、紙幣挿入口３５２または硬貨投入口３５３から紙幣或いは硬貨を投入する。尚、本実施例２では、例えば５０００円札を紙幣挿入口３５２に投入した場合を例に説明する。
【００７５】
これら、紙幣挿入口３５２に挿入された５０００円札は、紙幣識別ユニット３７１によりその真贋と金種が識別されて、金種が５０００円であるとの情報を含む識別情報が制御ユニット３８０に出力されることで、制御ユニット３８０は、受付け（識別）貨幣金額である５０００円に相当する度数である５０度数を前記ＲＡＭ３８３に記憶した後、該５０度数を度数表示器３６１に表示する。
【００７６】
この状態において、遊技者が貸出ボタンスイッチ３６２を操作することで、該操作による貸出ボタンスイッチ３６２からの信号出力に基づいて制御ユニット３８０は、球切り払出ユニット３７３の動作を制御して所定金額である５００円（５度数）に相当する数の遊技球（例えば１２５球）の払出を実施するとともに、該払出に使用した５度数をＲＡＭ３８３に記憶している度数データから減算更新し、該減算更新後の新たな度数、つまりは４５度数を度数表示器３６１に表示する。
【００７７】
そして、貸出を受けた玉が少なくなるか或いは無くなった場合には、遊技者は再度貸出ボタンスイッチ３６２を操作することで、度数表示器３６１に度数が残存する限り、繰返し玉貸を受けることができる。
【００７８】
そして、遊技者が遊技を終了する場合には、終了ボタンスイッチ３６３を操作することで、制御ユニット３８０により、ＲＡＭ３８３に記憶された度数データに基づく度数が残存するか、つまりは度数表示器３６１に表示された度数が残存するか否かが判定され、度数が残存する場合において、動作ＬＥＤユニット３５１の点灯態様が精算カード３９の挿入を促す点滅点灯とされて、精算カード３９を携行している係員に精算カード３９が必要とされている旨が報知される。
【００７９】
この多機能ＬＥＤ３０１ａが点滅点灯されることで、係員が精算カード３９をカード挿入口３５９に挿入すると、カードリーダライタ３７０から精算カード３９が挿入された旨が制御ユニット３８０に出力されることで、制御ユニット３８０は、前記ＲＴＣ３８４から出力されるその時点の時刻に、ＲＯＭ３８２に記憶されている精算可能時間である、例えば５分を加算した精算期限時刻と、ＲＴＣ３８４から出力される日付とともに、ＲＡＭ３８３に記憶されている度数データから特定される残存度数の大きさである未使用度数の大きさ、例えば、４０度数を遊技に使用して１０度数が残存している場合には、該１０度数を示す度数データを、カードリーダライタ３７０に出力することで、該出力された精算期限時刻並びに日付と未使用度数の大きさである１０度数を示す精算期限時刻データ、日付データ、未使用度数データとが精算カード３９に記録され、該記録された未使用度数データが再度読み出されて制御ユニット３８０に出力されることで、制御ユニット３８０が、カードリーダライタ３７０に出力した未使用度数の大きさと、カードリーダライタ３７０から出力されてきた未使用度数データに基づく未使用度数の大きさが一致する場合において、精算カード３９への記録（記憶）が良好に完了したものと判定し、スピーカ３６７から、例えば「精算可能時間は５分です」等の音声メッセージを出力して遊技者に精算可能な有効時間を報知するとともに、該精算カード３９をカード挿入口３５９から排出して返却する。そして、前記ＲＡＭ３８３に記憶している度数データを消去する。
【００８０】
遊技を終了した遊技者が、前記カード挿入口３０９から排出して返却された精算カード３９を精算装置４００’のカード挿入口４０２に挿入すると、該挿入された精算カード３９に記録されている精算期限時刻データ、日付データと未使用度数データとをカードリーダライタ４１５により読み出し、該読み出した精算期限時刻データから特定される精算期限時刻とＲＴＣ４１６から出力されるその時点の時刻とから、精算期限時刻を過ぎていないか否かを判定する。
【００８１】
そして、該判定において精算期限時刻を過ぎている場合には、係員精算操作手段であるキースイッチ４２５が係員精算の位置に回動される係員精算操作が有るか否かを判定し、係員精算操作が無い場合、つまりはキースイッチ４２５が通常の設定位置にある場合には、カード挿入口４０２から挿入された精算カード３９から読み出した未使用度数データに相当する金額の払出を実施せずに、所定時間が経過していることを、前記動作表示部４０１の点灯態様を点滅点灯することで報知する。また、係員精算操作が有る場合、つまりはキースイッチ４２５が係員精算の位置に回動されている場合には、精算カード３９から読み出した未使用度数データ、例えば１０度数に相当する金額である１０００円の貨幣の払出を実施した後、当該精算カード３９の記録情報を消去し、該精算カード３９を回収ボックス４４０に回収する。つまり、前記動作表示部４０１の報知状態において係員精算操作が実施されることで、所定時間が経過した精算カード３９の精算が実施されることとなる。
【００８２】
一方、前記した判定において精算期限時刻を過ぎていない場合には、精算カード３９から読み出した未使用度数データ、例えば１０度数に相当する金額である１０００円の貨幣を前記金額表示部４０７に表示するとともに、精算ボタン４１０の操作受付けを実施して、精算ボタン４１０の操作に基づいて、金額表示部４０７に表示中の金額である１０００円の貨幣（紙幣）の払出を実施した後、当該精算カード３９の記録情報を消去し、該消去した精算カード３９を回収ボックス４４０に回収する。
【００８３】
以上、本実施例２の遊技用システムによれば、精算記録媒体である精算カード３９から読み出された有効期間情報である精算期限時刻データから特定される精算を許容する期間以内にその時点が該当する場合においてのみ、精算装置４００’にて精算処理が実施されるようになるため、遊技用装置である玉貸ユニット３５０と精算装置４００とを通信接続する必要のないより簡素なシステムによって、精算記録媒体である精算カード３９の複製やデータ改竄等の不正防止を実現することができる。
【００８４】
また、前記各実施例によれば、精算処理が許容される時間或いは精算処理を許容される期間が表示や音声にて報知されるようになるため、遊技者は、これら精算処理が許容される時間或いは精算処理を許容される期間を認識することができ、これら精算処理が許容される時間或いは精算処理を許容される期間が過ぎて精算ができなくなってしまうことを極力防止することができる。
【００８５】
また、前記各実施例によれば、精算用記録媒体である精算カード３９がＩＣカードとされ、該ＩＣカードの集積回路に記録情報が記憶されているために、精算記録媒体である精算カード３９の複製やデータ改竄等の不正防止をより困難なものにできるとともに、比較的高価な集積回路を有するＩＣカードとされた精算カード３９を回収することで、繰返し精算カード３９を使用でき、システムのランニングコストを抑えることもできる。
【００８６】
また、前記各実施例によれば、精算カード３９を外部より受付けることで、精算記録媒体である精算カード３９を遊技用装置であるカードユニット３や玉貸ユニット３５０内部に収納しておく必要がなく、遊技用装置であるカードユニット３や玉貸ユニット３５０を簡素化できる。
【００８７】
また、前記実施例１によれば、遊技用記録媒体であるビジターカード３８が内蔵されて持ち去られることがないことから、遊技用記録媒体であるビジターカード３８の複製やデータ改竄等の不正を防止できるとともに、遊技用記録媒体であるビジターカード３８に要するランニングコストも抑えることができる。
【００８８】
また、前記各実施例によれば、係員精算操作手段であるキースイッチ４２５を精算装置４００、４００’が備えることで、仮に精算処理が許容される時間或いは精算処理が許容される期間を誤って過ぎてしまっても、係員の立ち会いにおいて当該係員が係員精算操作手段を操作することで、精算処理が許容される時間或いは精算処理が許容される期間を過ぎた精算記録媒体である精算カード３９の精算を実施することができ、システムの冗長性を向上できる。
【００８９】
以上、本発明の実施例を図面により説明してきたが、具体的な構成はこれら実施例に限られるものではなく、本発明の要旨を逸脱しない範囲における変更や追加があっても本発明に含まれる。
【００９０】
例えば、前記実施例１では、カードユニット３と精算装置４００とを通信接続して精算情報を精算装置４００に対して送信するようにしているが、本発明はこれに限定されるものではなく、例えば実施例２に示すように、カードユニット３と精算装置４００とを非接続状態として配置し、前記玉貸ユニット３５０のようにカードユニット３が、精算期限時刻を精算カード３９に記録して返却するようにしても良い。また、逆に、前記実施例２の玉貸ユニット３５０を、前記実施例１のカードユニット３のように、精算装置４００に通信接続して、精算カードＩＤを含む精算情報を精算装置４００に送信することで、精算が可能な時間が経過しているか否かを精算装置４００が判定して精算を実施するようにしても良い。
【００９１】
また、前記各実施例では、カードユニット３や玉貸ユニット３５０にて受付け可能な貨幣を紙幣と硬貨としているが、本発明はこれに限定されるものではなく、これら受付け可能な貨幣を紙幣のみ或いは硬貨のみとしても良いし、受付ける紙幣の種別や貨幣の種別も適宜に選択すれば良い。
【００９２】
また、前記各実施例では、カードユニット３や玉貸ユニット３５０にて貸出処理や現金玉貸処理に一度に使用される度数の大きさである使用単位を、５００円に相当する５度数としているが、本発明はこれに限定されるものではなく、これら使用単位を５度数以外としたり、これら使用単位を遊技者が変更できるようにしても良い。
【００９３】
また、前記実施例では、返却された精算カード３９をその他のカードユニット３や玉貸ユニット３５０にて、その当日において使用できるようにしているが、本発明はこれに限定されるものではなく、これら他のカードユニット３や玉貸ユニット３５０にての精算カード３９の使用も、精算装置４００における精算の場合と同様に、所定時間、例えば１時間以内としても良いし、更には、これら精算カード３９をその他のカードユニット３や玉貸ユニット３５０にて使用できない構成としても良い。
【００９４】
また、前記実施例１では、精算情報の受信に基づいて、カードテーブルに精算カードＩＤに対応付けてその時点の時刻を開始時刻として登録することで計時を開始するようにしており、このようにすることは、多数の精算情報を受信しても、各精算情報に含まれる精算カードＩＤに対応する経過時間の計時に要する処理負荷を非常に低いものとできることから好ましいが、本発明はこれに限定されるものではなく、例えば、開始時刻に代えて経過時刻を１秒毎に更新登録するようにしても良いし、複数のタイマを内蔵したタイマモジュールを設けて、各タイマにて経過時間の計時を実施するようにしても良い。
【００９５】
また、前記実施例２では、精算を許容する期間を特定可能な有効期間情報として、精算期限時刻データを記録するようにしているが、本発明はこれに限定されるものではなく、これら有効期間情報として、精算カード３９を返却する際の時刻データと精算可能時間である例えば５分を特定可能な期間データとを記録しても良いし、更には、予め精算装置４００’に精算可能時間である例えば５分等のデータが登録されている場合においては、精算カード３９を返却する際の時刻データのみを有効期間情報として記憶するようにしても良い。
【００９６】
また、前記実施例では、精算カード３９としてＩＣカードを使用しているが、本発明はこれに限定されるものではなく、これら精算カード３９に使用する記録媒体を、例えば通常の磁気カードとしたり、遊技者が携行する携帯電話としても良い。
【００９７】
また、前記実施例では、精算を可能とする時間或いは精算を可能とする期間が、予め玉貸ユニット３５０や精算装置４００に予め登録されて固定とされているが、本発明はこれに限定されるものではなく、これら精算を可能とする時間或いは精算を可能とする期間を設定変更するための設定部を玉貸ユニット３５０や精算装置４００に設けるようにして、これら精算を可能とする時間或いは精算を可能とする期間を、遊技場に合わせて変更できるようにしても良い。
【００９８】
また、前記実施例では、係員精算操作手段としてキースイッチ４２５を設けているが、本発明はこれに限定されるものではなく、これら係員精算操作手段として、例えばキースイッチ４２５に加えて暗証番号を入力する入力部を設けて、暗証番号が一致した場合において係員精算を可能とする等のように、更にセキュリティ性を高めたものとしても良い。
【００９９】
また、前記実施例では、精算カード３９を係員がカードユニット３や玉貸ユニット３５０に挿入するようにしているが、本発明はこれに限定されるものではなく、これら精算カード３９をカードユニット３や玉貸ユニット３５０に貯留しておいて発行するようにしても良い。
【０１００】
前記各実施例における各要素は、本発明に対して以下のように対応している。
本発明の請求項１は、遊技機（パチンコ機２）に対応付けて設置され、貨幣を受付けて、該受付け貨幣の真贋ならびに貨幣種別を識別する貨幣識別手段（紙幣識別ユニット３２１、硬貨識別ユニット３２２）と、該貨幣識別手段にて識別された貨幣の価値の範囲内の所定の大きさの価値を遊技に使用させるための使用処理（貸出処理）を行う遊技用装置（カードユニット３）と、前記貨幣識別手段にて識別された貨幣の価値のうち、前記使用処理に使用されなかった未使用の価値の大きさを特定可能な精算価値情報（未使用度数データ）が記録された精算記録媒体（精算カード３９）を受付け、該受付けた精算記録媒体に記録されている精算価値情報から特定される未使用の価値に相当する貨幣を払出す精算装置４００と、から成り、前記遊技用装置は、前記貨幣識別手段にて識別された貨幣の価値の大きさを記憶する価値記憶手段（ビジターカード３８）と、前記使用処理に使用された価値の大きさに応じて、前記価値記憶手段に記憶された価値の大きさを更新する価値更新手段（制御ユニット３２８）と、前記価値記憶手段に記憶された価値を精算するために遊技者が操作する精算操作手段（終了ボタン）と、該精算操作手段における操作に基づいて、前記価値記憶手段に記憶された価値が残存するか否かを判定する残価値判定手段（制御ユニット３２８）と、該残価値判定手段により前記価値記憶手段に記憶された価値が残存すると判定されたことに基づいて、前記精算記録媒体に記録されている該精算記録媒体を個々に識別可能な精算記録媒体識別情報（精算カードＩＤ）を読み出すとともに、前記価値記憶手段に記憶された価値の大きさ（未使用度数）を特定可能な情報を前記精算価値情報として当該精算記録媒体に記録する精算記録媒体処理手段（カードリーダライタ３２７）と、該精算記録媒体処理手段にて前記精算記録媒体より読み出した前記精算記録媒体識別情報を含む精算情報を前記精算装置に送信する精算情報送信手段（通信部３３４）と、を備え、前記精算装置は、精算処理を許容する時間を登録する精算許容時間登録手段（記憶部４２１）と、前記精算情報送信手段から送信される精算情報の受信に基づいて、当該精算情報に含まれる前記精算記録媒体識別情報に対応する経過時間の計時を開始する計時手段（４１６）と、前記精算記録媒体を受付けて、該受付けた精算記録媒体に記録されている前記精算記録媒体識別情報と前記精算価値情報とを読み出す精算記録媒体受付手段（カードリーダライタ４１５）と、該精算記録媒体受付手段にて読み出した前記精算記録媒体識別情報に対応する前記計時手段にて計時された経過時間が、前記精算許容時間登録手段に登録された精算処理を許容する時間以内であるか否かを判定する精算判定手段（ＭＰＵ４２３）と、を備え、該精算判定手段が、精算処理を許容する時間以内であると判定したことを条件に、前記精算記録媒体受付手段にて前記精算記録媒体から読み出した前記精算価値情報から特定される価値の大きさに相当する貨幣を払出す精算処理を行う。
【０１０１】
本発明の請求項２は、遊技機（パチンコ機２’）に対応付けて設置され、受付け貨幣の真贋ならびに貨幣種別を識別する貨幣識別手段（紙幣識別ユニット３７１、硬貨識別ユニット３７２）と、該貨幣識別手段にて識別された貨幣の価値の範囲内の所定の大きさの価値を遊技に使用させるための使用処理（現金玉貸処理）を行う遊技用装置（玉貸ユニット３５０）と、前記貨幣識別手段にて識別された貨幣の価値のうち、前記使用処理に使用されなかった未使用の価値の大きさを特定可能な精算価値情報（未使用度数データ）が記録された精算記録媒体（精算カード３９）を受付け、該受付けた精算記録媒体に記録されている精算価値情報から特定される未使用の価値に相当する貨幣を払出す精算装置４００’と、を備える遊技用システムであって、前記遊技用装置は、前記貨幣識別手段にて識別された貨幣の価値の大きさを記憶する価値記憶手段（ＲＡＭ３８３）と、前記使用処理に使用された価値の大きさに応じて、前記価値記憶手段に記憶された価値の大きさを更新する価値更新手段（ＭＰＵ３８１）と、前記価値記憶手段に記憶された価値を精算するために遊技者が操作する精算操作手段（終了ボタンスイッチ３６３）と、該精算操作手段における操作に基づいて、前記価値記憶手段に記憶された価値が残存するか否かを判定する残価値判定手段（ＭＰＵ３８１）と、該残価値判定手段により前記価値記憶手段に記憶された価値が残存すると判定されたことに基づいて、前記使用処理に使用されなかった未使用の価値の大きさである前記価値記憶手段に記憶された価値の大きさ（未使用度数）を特定可能な精算価値情報と、該精算価値情報から特定される価値の大きさの精算を許容する期間を特定可能な有効期間情報（精算期限時刻データ）とを、前記精算記録媒体に記録する精算記録媒体処理手段（カードリーダライタ３７０）と、を備え、前記精算装置は、前記精算記録媒体を受付けて、該受付けた精算記録媒体に記録されている前記精算価値情報と前記有効期間情報とを読み出す精算記録媒体受付手段（カードリーダライタ４１５）と、該精算記録媒体受付手段にて読み出した前記有効期間情報から特定される精算を許容する期間以内にその時点が該当するか否かを判定する精算判定手段（ＭＰＵ４２３）と、を備え、該精算判定手段が、精算処理を許容する期間以内にその時点が該当すると判定したことを条件に、前記精算記録媒体受付手段にて前記精算記録媒体から読み出した前記精算価値情報から特定される価値の大きさに相当する貨幣を払出す精算処理を行う。
【０１０２】
本発明の請求項３は、前記遊技用装置（カードユニット３、玉貸ユニット３５０）は、前記精算処理を許容する時間或いは前記精算処理を許容する期間を遊技者に報知する報知手段（表示部３１２、スピーカ３６７）を備える。
【０１０３】
本発明の請求項４は、前記精算記録媒体（精算カード３９）が記録情報を電気的に記憶する集積回路８４を有する記録媒体（ＩＣカード）であり、前記精算装置（４００、４００’）は、前記精算記録媒体を収容する記録媒体収容部（回収ボックス４４０）を備え、前記精算処理後において、当該精算処理に供された前記精算記録媒体を記録媒体収容部に回収する。
【０１０４】
本発明の請求項５は、前記価値記憶手段（ビジターカード３８）が、前記遊技用装置（カードユニット３）に内蔵された遊技用記録媒体（ビジターカード３８）にて形成され、
前記精算記録媒体処理手段（カードリーダライタ３２７）は、外部から精算記録媒体（精算カード３９）を受付け、該外部から受付けた精算記録媒体に、前記遊技用記録媒体に記憶されている価値の大きさを特定可能な精算価値情報（未使用度数データ）を記録する。
【０１０５】
本発明の請求項６は、前記精算装置（４００、４００’）は、係員が操作する係員精算操作手段（キースイッチ４２５）を備え、前記精算判定手段（ＭＰＵ４２３）により精算処理を許容する時間以内或いは前記精算処理を許容する期間以内でないと判定されたときであっても、前記係員精算操作手段における操作を条件として前記精算処理を実施する。
【図面の簡単な説明】
【０１０６】
【図１】本発明の実施例１における遊技用システムの構成を示す図である。
【図２】（ａ）は、本発明の実施例１に用いたビジターカードを示す正面図であり、（ｂ）は、精算カードを示す正面図である。
【図３】本発明の実施例１において用いたパチンコ機並びにカードユニットの正面図である。
【図４】本発明の実施例１におけるカードユニットの前面構造を示す斜視図である。
【図５】本発明の実施例１におけるカードユニッの構成を示すブロック図である。
【図６】本発明の実施例１に用いた精算装置を示す外観斜視図である。
【図７】本発明の実施例１に用いた精算装置の構成を示すブロック図である。
【図８】本発明の実施例１に用いたカードテーブルの構成を示す図である。
【図９】本発明の実施例１における遊技用システムの処理状況を示す図である。
【図１０】本発明の実施例２において用いたパチンコ機並びに玉貸ユニットの正面図である。
【図１１】本発明の実施例２における玉貸ユニットの構成を示すブロック図である。
【図１２】本発明の実施例２における遊技用システムの処理状況を示す図である。
【符号の説明】
【０１０７】
２        パチンコ機
２’      パチンコ機
３        カードユニット
３８      ビジターカード
３９      精算カード
８４      集積回路
３１２    表示部
３２１    紙幣識別ユニット
３２２    硬貨識別ユニット
３２７    カードリーダライタ
３２８    制御ユニット
３３４    通信部
３５０    玉貸ユニット
３６３    終了ボタンスイッチ
３６７    スピーカ
３７０    カードリーダライタ
３７１    紙幣識別ユニット
３７２    硬貨識別ユニット
４００    精算装置
４００’  精算装置
４１５    カードリーダライタ
４２１    記憶部
４２５    キースイッチ
４４０    回収ボックス
【図１】
2005065844.tif 000003
【図２】
2005065844.tif 000004
【図３】
2005065844.tif 000005
【図４】
2005065844.tif 000006
【図５】
2005065844.tif 000007
【図６】
2005065844.tif 000008
【図７】
2005065844.tif 000009
【図８】
2005065844.tif 000010
【図９】
2005065844.tif 000011
【図１０】
2005065844.tif 000012
【図１１】
2005065844.tif 000013
【図１２】
2005065844.tif 000014